(57)【要約】【課題】  使用場所の制約がなく、種々の態様で手軽に利用でき、子供が楽しく遊んだり、老人や肢体の不自由な人が軽い運動や機能回復運動を興趣をもって無理なく行え、製作も容易に行えるようにすると共に、材料を無駄なく利用でき、取扱や包装を容易にする。【解決手段】  リング状遊技具１は、弾力性および柔軟性を有する材料で製作され、中央に円形状のリング穴２ｂを設けた平板状の環状ディスク２の外周部に、環状ディスク２の半径方向に突き出した突出部３が、環状ディスク２の周方向に間隔をあけて複数設けられると共に、突出部３の外周面が環状ディスク２の周方向に向く同一の円周に沿う円弧状面に形成された大径のリング状遊技具Ａを備え、リング穴２ｂに、弾力性および柔軟性を有する材料で製作され、外周がリング穴２ｂに接する小径のリング状遊技具Ｂが着脱可能に嵌着された構成とされている。【選択図】      図１
2007007304.tif 000002
【特許請求の範囲】
【請求項１】
弾力性および柔軟性を有する材料で製作され、中央に円形状のリング穴を設けた平板状の環状ディスクの外周部に、該環状ディスクの半径方向に突き出した突出部が、環状ディスクの周方向に間隔をあけて複数設けられると共に、前記突出部の外周面が環状ディスクの周方向に向く同一の円周に沿う円弧状面に形成された大径のリング状遊技具を備え、前記リング穴に、弾力性および柔軟性を有する材料で製作され、外周がリング穴に接する小径のリング状遊技具が着脱可能に嵌着されていることを特徴とするリング状遊技具。
【請求項２】
前記環状ディスクには、前記リング穴より小さい小穴が、該リング穴の外側において環状ディスクの周方向に沿って間隔をあけて複数個設けられていることを特徴とする請求項１に記載のリング状遊技具。
【請求項３】
前記小径のリング状遊技具には、リング状部の内側に該リング状部を径方向に結ぶ連結部が設けられていることを特徴とする請求項１または２に記載のリング状遊技具。
【請求項４】
前記環状ディスクは、厚さが１０〜５０ｍｍ、外径が１８０〜５００ｍｍに設定されていることを特徴とする請求項１〜３のいずれかに記載のリング状遊技具。
【発明の詳細な説明】
【技術分野】
【０００１】
本発明は、空中に飛ばしたり床面や地面に転がしたりして、子供が遊んだり、老人や肢体の不自由な人が軽い運動や機能回復運動をするのに好適なリング状遊技具に関するものである。
【背景技術】
【０００２】
従来、空中に飛ばして遊んだり競技をするリング状または円盤状の遊技具として、リング構成部の上面側が凸曲面となるように湾曲された横断面形状を有するリング本体の外周部に、外側に僅かに突き出した凸状部を周方向に等間隔をあけて４つ設けてなる飛行リングが知られている（例えば、特許文献１参照）。また、側面視で中央部が厚く外周側に行くに従って薄くなり、外周部が円弧状に丸みを付けられたディスク本体の外周部に、外側に突き出した凸状部を周方向に複数個一体に形成してなり水上で使用するディスク状遊技具が知られている（例えば、特許文献２参照）。また、外周部のリングと中央部の円板とを、半径方向に延長され周方向に不等間隔をあけて配置された複数の連結片で結合して、前記円板の回りに大きさの異なる複数の穴部を設けてなる輪投げ用円盤が知られている（例えば、特許文献３参照）。さらに、弾性線材で環状に形成されたリングの内側に、該リングの半径方向に設けた軸回りに回転する扇形の羽根を複数個設けてなる飛行遊技具も知られている（例えば、特許文献４参照）。
【特許文献１】特開２００３−２６５６６４号公報
【特許文献２】特開２００２−１７９２６号公報
【特許文献３】特開２００２−９５７８１号公報
【特許文献４】登録実用新案第３０８３６５４号公報
【発明の開示】
【発明が解決しようとする課題】
【０００３】
しかし、前記飛行リングは、比較的硬い合成樹脂材料で製作されたリング本体の空気力学的な形状によって飛行到達距離と飛行高さが大きくなるようにして、健常者が屋外で遊んだり、競技をしたりすることを目的とするものであり、屋内等で子供、老人や肢体の不自由な人が手軽に利用できないと共に、形状が複雑であり製作も難しい。また、前記ディスク状遊技具は、ディスク本体の外周に突き出した凸状部が、ディスク本体の軸に沿う方向に適度な厚さ（幅）で、周方向に同一の円周に沿う円弧面とした外周面が形成されていないので、床面や地面を転がすことができず、ディスク本体が円盤状であって折り曲げ難く、利用範囲が限定される。また、前記輪投げ用円盤は、比較的硬質の材料で製作されるものであり、リングの外周が単純な円周面であり、リングの飛行の状態を楽しむことはできず、輪投げに限定されるものである。さらに、前記飛行遊技具は、羽根の作用で高く飛ばすことができるが、中央部に羽根があるので、飛行する飛行遊技具を手指でなく腕で受け取るといった使い方ができない上に、高く飛ぶので屋内で利用するには不向きであり、また、構造が複雑であり容易に製作することができない。
【０００４】
本発明は、上記事情に鑑みてなされたものであって、使用場所の制約がなく、種々の態様で手軽に利用することができ、子供が楽しく遊んだり、老人や肢体の不自由な人が軽い運動や機能回復運動を興趣をもって無理なく行うことができ、製作が容易であるリング状遊技具を提供することを目的とする。
また、本発明の他の目的は、材料を無駄なく利用することができると共に、取扱や包装を容易にすることができるリング状遊技具を提供することである。
【課題を解決するための手段】
【０００５】
本発明は、前記課題を解決するために、以下の点を特徴としている。
すなわち、請求項１に係るリング状遊技具は、弾力性および柔軟性を有する材料で製作され、中央に円形状のリング穴を設けた平板状の環状ディスクの外周部に、該環状ディスクの半径方向に突き出した突出部が、環状ディスクの周方向に間隔をあけて複数設けられると共に、前記突出部の外周面が環状ディスクの周方向に向く同一の円周に沿う円弧状面に形成された大径のリング状遊技具を備え、前記リング穴に、弾力性および柔軟性を有する材料で製作され、外周がリング穴に接する小径のリング状遊技具が着脱可能に嵌着されていることを特徴としている。
【０００６】
請求項２に係るリング状遊技具は、請求項１に記載のリング状遊技具において、前記環状ディスクに、前記リング穴より小さい小穴が、該リング穴の外側において環状ディスクの周方向に沿って間隔をあけて複数個設けられていることを特徴としている。
【０００７】
請求項３に係るリング状遊技具は、請求項１または２に記載のリング状遊技具において、前記小径のリング状遊技具には、リング状部の内側に該リング状部を径方向に結ぶ連結部が設けられていることを特徴としている。
【０００８】
請求項４に係るリング状遊技具は、請求項１〜３のいずれかに記載のリング状遊技具において、前記環状ディスクが、厚さを１０〜５０ｍｍ、外径を１８０〜５００ｍｍに設定されていることを特徴としている。
【発明の効果】
【０００９】
本発明は以下の優れた効果を奏する。
すなわち、請求項１に係るリング状遊技具によれば、環状ディスクのリング穴から小径のリング状遊技具を取り外すことにより、大、小径の２種のリング状遊技具を個別に使用して飛ばしたり、転がして遊ぶことができる。大径のリング状遊技具を使用する場合には、環状ディスクの外周に、外周面が同一の円周に沿う円弧状面に形成された突出部が周方向に間隔をあけて複数設けられているので、リング状遊技具を回転させながら飛ばしたときに、突出部が空気をよぎることにより環状ディスクの飛行に微妙な変化を生じさせると共に、突出部の側面が見え隠れして外周部に視覚的変化が生じて使用者に興趣を感じさせることができる。
また、環状ディスクの中央部にリング穴が設けられているので、手指でリング状遊技具を掴んで受け取ることができない場合でも、前記リング穴に腕を差し込んで受け取ることができると共に、前記リング穴を輪投げ用受け台の受け棒に投げ入れる穴として利用し、リング状遊技具を輪投げの投擲用リングとして使用することができる。
【００１０】
さらに、大、小径のリング状遊技具はいずれも、弾力性および柔軟性を有する材料で製作されているので、各リング状遊技具を適宜にかつ容易に折り曲げることができ、手指を動かす動作の機能回復に役立てることができると共に、２つ折り、４つ折り等に折り曲げた状態で飛ばすことにより、各リング状遊技具の飛行に変化を持たせることができる。そして、各リング状遊技具は軽量で平板状に形成され、格別の揚力を高める部材が付加されていないので、飛行の距離や高さが限られ、屋外は勿論、室内の比較的狭い場所でも使用することができる。
したがって、大、小径のリング状遊技具を使用場所の制約がなく、種々の態様で手軽に利用することができ、子供が楽しく遊んだり、老人や肢体の不自由な人が軽い運動や機能回復運動を楽しく、無理なく行うことができると共に、製作も容易である。
また、小径のリング状遊技具は大径のリング状遊技具の環状ディスクの内側の領域に形成することができるので、大、小径の２種のリング状遊技具を製作するのに材料を無駄なく利用することができると共に、大径のリング状遊技具の内側に小径のリング状遊技具を装着して、２種のリング状遊技具を１つの製品のごとくして容易に取り扱うことができ、包装も簡易に行うことができ、流通上も便利である。
【００１１】
また、請求項２に係るリング状遊技具によれば、小穴の存在によって環状ディスクが折り曲げ易くなると共に、小穴に指を挿入して環状ディスクを掴むことができ、リング状遊技具の飛ばし方に変化を持たせることができる。更にまた、勢いよく飛ばすことによって小穴と外周に形成された突出部が空気をよぎることにより音が発生し、使用者に興趣を一層強く感じさせることができる。
【００１２】
また、請求項３に係るリング状遊技具によれば、小径のリング状遊技具を連結部を指で掴んでリング状部の姿勢を種々変えて飛ばして遊ぶことができる。
また、請求項４に係るリング状遊技具によれば、環状ディスクのリング穴の領域内に所要の大きさの小径のリング状遊技具を確実に形成することができると共に、環状ディスクの厚さと外径の大きさが適切なものとなって扱い易く、床面や地面を転がして遊ぶ場合に、環状ディスクの厚さが有効に作用してリング状遊技具の転倒を防止して遠方まで到達させることができる。
【発明を実施するための最良の形態】
【００１３】
以下、本発明の一実施の形態に係るリング状遊技具について図１、図２を参照して説明する。図１、図２において、１は一実施の形態に係るリング状遊技具である。このリング状遊技具１は、中央にディスク面２ａ，２ａに貫通する大径（直径Ｄ）の円形のリング穴２ｂをあけた環状ディスク２を有する大径のリング状遊技具Ａと、前記環状ディスク２のリング穴２ｂ内に嵌着された小径のリング状遊技具Ｂとを備えている。前記大、小径のリング状遊技具Ａ，Ｂは、いずれも合成ゴム、スポンジ等の弾力性および柔軟性を有する材料で製作され、所定厚さｔを有する平板状に形成されている。
【００１４】
前記大径のリング状遊技具Ａの環状ディスク２の外周部には、該外周部に前記リング穴２ｂの中心Ｃと同心の円弧面２ｅを有する歯車の歯溝状の凹部２ｃを形成することにより、環状ディスク２の半径方向に突き出した突出部３が、環状ディスク２の周方向に等間隔をあけて複数個（図示の例では８個）設けられている。前記各突出部３の外周面３ａは前記環状ディスク２の周方向に向き、前記リング穴２ｂの中心Ｃと同心である一つの円周Ｓに沿う円弧面に形成されている。前記突出部３の環状ディスク２の周方向における間隔は、等間隔とするのが好ましいが、これに限定されず、不等間隔であってもよい。
【００１５】
前記突出部３の平面視の形状は、図１に示すように、歯車の歯溝状の凹部２ｃによって台形状（歯車の歯状）となっており、前記外周面３ａの弧長Ｌが突出部３の無い部分の弧長Ｌ１と同程度（前記円周Ｓの周長を突出部３の数の２倍で除した長さ）もしくはそれよりやや長くされている。逆に前記外周面３ａの弧長Ｌを突出部３の無い部分の弧長Ｌ１より短くしてもよい。前記突出部３の平面視の形状は、上記に限らず、図４（ａ）に示すように、環状ディスク２の外周に三角形状の凹部２ｃ１を設けることによって歯車の歯状に形成したり、図４（ｂ）に示すように、前記環状ディスク２の外周に歯車の歯溝状の凹部２ｃを設けると共に、歯車の歯状の突出部３の周方向の両端部どうしを直線で結んで外周面３ａ１を円弧面とせずに平面とした台形状に形成したり、図５（ａ）に示すように、環状ディスク２の外周に歯車の歯溝状の凹部２ｃを設けると共に、歯車の歯状の突出部３の周方向の両端部における二つの接線をそれらの交点で結んで、外周面３ａ２を円弧面とせずに扁平な山形面とした変形の台形状に形成したり、また、図５（ｂ）に示すように、環状ディスク２の外周に円弧状の凹部２ｃ２を設けることによって、外周面３ａが円弧面を有する富士山状に形成することができる。
【００１６】
なお、図５（ｂ）に示すものでは、富士山状の突出部３は、環状ディスク２の周方向に５個設けられ、その周長Ｌが突出部３，３の相互間の周長Ｌ１の略半分に設定されているが、リング状遊技具Ａを安定して転がり易くするためには、前記突出部３，３の相互間の周長Ｌ１と同程度とするのがよい。前記大径のリング状遊技具Ａの突出部３の平面、山形面とした外周面３ａ１，３ａ２は、環状ディスク２の全体から見ると、環状ディスク２の周方向に向く同一の円周Ｓに沿う一定周長（一定長さ）Ｌを有する円弧状面に形成されていると見なすことができ、本発明においては、前記突出部３における平面、山形面（円弧状面）とした外周面３ａ１，３ａ２を円弧面に含めるものとする。
【００１７】
さらに、前記環状ディスク２には、前記リング穴２ｂより小さな直径ｄを有する複数個（図１、図４、図５（ａ）の例では８個、図５（ｂ）の例では５個）の円形の小穴４が、リング穴２ｂの外側において環状ディスク２の周方向に沿って一定間隔をあけて（前記突出部３の位置に合わせて）配置され、前記ディスク面２ａ，２ａを貫通して設けられている。
前記小径のリング状遊技具Ｂは、大径のリング状遊技具Ａの環状ディスク２のリング穴２ｂ内に円形の外周部を接して嵌着されたリング状部５の内側に、該リング状部５を径方向に結ぶ連結部６を設けて構成されている。前記連結部６は、前記中心Ｃからリング状部５に向けてその半径方向に直線状に延長された複数（図示の例では３本）の連結片６ａがリング状部５の周方向に間隔をあけて配置されて形成されている。言い換えると、円板状のリング状部５に、独立して貫通された複数（図示の例では３個）の扇形状穴６ｂを、中心Ｃの回りに等間隔に配置することにより、前記連結片６ａが形成されている。
【００１８】
前記大径のリング状遊技具Ａの環状ディスク２は、該リング状遊技具Ａの使用対象者によって適切な大きさのものを選定し得るように種々の大きさのものが用意されるが、その場合、前記厚さｔが１０〜５０ｍｍ、外径Ｄ１が１８０〜５００ｍｍの範囲に設定される。また、前記リング穴２ｂの直径Ｄが１００〜３００ｍｍ、前記小穴４の直径ｄが１５〜６０ｍｍ、リング部２ｄの幅Ｈが１５〜１００ｍｍ、突出部３の高さｈが１０〜８０ｍｍに設定される。そして、前記小径のリング状遊技具Ｂのリング状部５の外径は前記リング穴２ｂの直径Ｄと等しく設定されている。
なお、前記環状ディスク２の突出部３の外周面３ａに沿った両縁部には面取り加工が施されている。また、突出部３の外周面３ａと側面３ｂとが交叉する角部３ｃ，３ｃに大き目の面取りを施してもよい。
【００１９】
前記大径のリング状遊技具Ａを製作する場合には、環状ディスク２を形成するスポンジ等の材料からなる平板に、先端外周に円形の刃具を設けた円筒状の打ち抜き工具をプレス機械等によって押し付けて、円形板を打ち抜くことによって前記リング穴２ｂが形成される。このとき、前記円形板が前記小径のリング状遊技具Ｂのリング状部５を構成する材料となるので、該円形板の内側に同様にプレス機械によって打ち抜き工具を用いて前記扇形状穴６ｂを打ち抜いて形成すると、前記小径のリング状遊技具Ｂが構成される。前記円形板は打ち抜きによって材料の切断屑が生じないので、その打ち抜き後に前記リング穴２ｂに前記リング状部５を嵌入すると、材料の弾力性によってリング状部５がリング穴２ｂにしっかりと装着された状態を保持される。
そのため、大径のリング状遊技具Ａと小径のリング状遊技具Ｂとが、前記環状ディスク２のリング穴２ｂにリング部５を嵌入して組み合わせられることによりリング状遊技具１が構成され、該リング状遊技具１は１つの円板状の製品として取り扱いや運搬が行える。
【００２０】
前記構成の一実施の形態に係るリング状遊技具１を使用する場合は、図３に示すように、大径のリング状遊技具Ａのリング穴２ｂから小径のリング状遊技具Ｂを押し出して分離させた後、例えば、大径のリング状遊技具Ａを使用する際は、二人の使用者が適当な距離を隔てた位置に立って対面し、一方の使用者がリング状遊技具Ａのリング部２ｄや突出部３を手指に掴んで、相手側の使用者に向かって投げる。相手側の使用者は飛来するリング状遊技具Ａのリング部２ｄや突出部３を手指で掴み取ったり、リング穴２ｂに腕を差し込んで受け取る。
【００２１】
前記大径のリング状遊技具Ａの投げ方としては、一定方向からだけでなく、手を体の上下、左右からスナップを付け、または付けないで繰り出して、上下、左右、斜めといった種々の方向から投げ、環状ディスク２の軸心回りに、または環状ディスク２の直径方向の軸回りに回転させながら飛ばすことができる。
また、こつが要るが、リング状遊技具Ａを手前から押し出すようにして回転させないで飛ばすこともできる。
さらに、リング状遊技具Ａを２つ折り、４つ折りにして投げることもできる。このようにすると、リング状遊技具Ａが投げた人の手を放れて飛行する途中で開く際に、飛行状態が変化して相手側への到達位置が異なってくる。また、上空に投げられて落下してくるリング状遊技具Ａを受け取る遊び方もできる。
【００２２】
また、使用者が一人で、身体の左右から一方の片手で上方に放り投げ、落下するリング状遊技具１を他方の手で受け取るといった遊び方もできる。さらに、前記リング状遊技具１は単に投げるだけはでなく、環状ディスク２の中央にリング穴２ｂが設けられているので、輪投げ用のリングとしても利用することができると共に、環状ディスク２ｄの突出部３の外周面３ａが同一の円周に沿う円弧面となっているので、床面もしくは地面で転がして遊ぶこともできる。その際、前記リング状遊技具Ａが回転中は、前記環状ディスク２の外周に突出部３の側面３ｂが見え隠れして綺麗に見え、該側面３ｂに色模様を着けると一層その綺麗さが増すと共に、前記突出部３が空気をよぎることにより環状ディスク２の飛行に微妙な変化を生じさせる。
なお、小径のリング状遊技具Ｂを使用する場合は、該リング状遊技具Ｂの中央に大きな穴が設けられていないので、リング状遊技具Ｂを腕に差し込んで受け取ったり、輪投げ用のリングとして利用することはできないが、この点を除いて、大径のリング状遊技具Ａとほぼ同様にして遊ぶことができる。
【００２３】
前記使用者は、大、小径のリング状遊技具Ａ，Ｂを折り曲げたり、空中に投げたり、または床面、地面に転がしたり、それを受け取ったりする際には、種々の投げ方をする姿勢をとるために身体や手、腕を動かしたり、また、飛来したり転動して向かって来るリング状遊技具１を受け取るために、その位置や状態の変化に追従して身体の位置を移動させたり、姿勢や腕、手を動かそうとすることにより、自然と身体の適度の運動が図られることとなり、特に、肢体の不自由な人にとっては前記運動が機能回復を促進するものとなる。
そして、前記リング状遊技具１（大、小径のリング状遊技具Ａ，Ｂ）は柔軟性材料で製作されているので、子供や老人、肢体の不自由な人でも安心して使用することができる。
【００２４】
以上説明したように、前記実施の形態に係るリング状遊技具１は、弾力性および柔軟性を有する材料で製作され、中央に円形状のリング穴２ｂを設けた平板状の環状ディスク２の外周部に、該環状ディスク２の半径方向に突き出した突出部３が、環状ディスク２の周方向に間隔をあけて複数設けられると共に、前記突出部３の外周面が環状ディスク２の周方向に向く同一の円周に沿う円弧状面に形成された大径のリング状遊技具Ａを備え、前記リング穴２ｂに、弾力性および柔軟性を有する材料で製作され、外周がリング穴２ｂにリング状部５を介して接する小径のリング状遊技具Ｂが着脱可能に嵌着され構成とされている。
【００２５】
そのため、前記実施の形態に係るリング状遊技具１によれば、環状ディスク２のリング穴２ｂから小径のリング状遊技具Ｂを取り外すことにより、大、小径の２種のリング状遊技具Ａ，Ｂを個別に使用して飛ばしたり、転がして遊ぶことができる。大径のリング状遊技具Ａを使用する場合には、該リング状遊技具Ａを回転させながら飛ばしたときに、前記環状ディスク２の外周に設けた突出部３が空気をよぎることにより環状ディスク２の飛行に微妙な変化を生じさせると共に、前記突出部３の側面３ｂが見え隠れして環状ディスク２の外周部に視覚的変化が生じて使用者に興趣を感じさせることができる。
また、手指でリング状遊技具Ａを掴んで受け取ることができない場合でも、前記環状ディスク２のリング穴２ｂに腕を差し込んで受け取ることができると共に、前記リング穴２ｂを輪投げ用受け台の受け棒に投げ入れる穴として利用し、リング状遊技具Ａを輪投げの投擲用リングとして使用することができる。
【００２６】
さらに、大、小径のリング状遊技具Ａ，Ｂはいずれも、弾力性および柔軟性を有する材料で製作されているので、リング状遊技具１を適宜にかつ容易に折り曲げることができ、手指を動かす動作の機能回復に役立てることができると共に、２つ折り、４つ折り等に折り曲げた状態で飛ばすことにより、リング状遊技具Ａ，Ｂの飛行に変化を持たせることができる。そして、リング状遊技具Ａ，Ｂは共に軽量で平板状に形成され、格別の揚力を高める部材が付加されていないので、飛行の距離や高さが限られ、屋外は勿論、室内の比較的狭い場所でも使用することができる。
したがって、リング状遊技具Ａ，Ｂを使用場所の制約がなく種々の態様で手軽に利用することができ、子供が楽しく遊んだり、老人や肢体の不自由な人が軽い運動や機能回復運動を楽しく、無理なく行うことができると共に、製作も容易である。
また、小径のリング状遊技具Ｂは大径のリング状遊技具Ａの環状ディスク２の内側の領域に形成することができるので、大、小径の２種のリング状遊技具Ａ，Ｂを製作するのに材料を無駄なく利用することができると共に、大径のリング状遊技具Ａの環状ディスク２のリング穴に小径のリング状遊技具Ｂのリング部５を嵌入して装着することにより、２種のリング状遊技具Ａ，Ｂが、１つのリング状遊技具の製品としてコンパクトに纏められるので、その取り扱いが容易であり、その包装も簡易に行え、流通上も便利である。
【００２７】
また、前記実施の形態に係るリング状遊技具１によれば、前記環状ディスク２に、前記リング穴２ｂより小さい小穴４が、該リング穴２ｂの外側において環状ディスク２の周方向に沿って間隔をあけて複数個設けた構成とされているので、前記小穴４の存在によって環状ディスク２が折り曲げ易くなると共に、小穴４に指を挿入して環状ディスク２を掴むことができ、大径のリング状遊技具Ａの飛ばし方に変化を持たせることができる。更にまた、勢いよく飛ばすことによって小穴４と外周に形成された突出部３が空気をよぎることにより音が発生し、使用者に興趣を一層強く感じさせることができる。
また、前記小径のリング状遊技具Ｂには、リング状部５の内側に該リング状部５を径方向に結ぶ連結部６が設けらた構成とされているので、小径のリング状遊技具Ｂを連結部６を指で掴んでリング状部５の姿勢を種々変えて飛ばして遊ぶことができる。
【００２８】
さらに、前記実施の形態に係るリング状遊技具１によれば、前記環状ディスク２が、厚さｔを１０〜５０ｍｍ、外径Ｄ１を１８０〜５００ｍｍに設定された構成とされているので、環状ディスク２の厚さｔと外径の大きさが適切なものとなって扱い易く、床面や地面を転がして遊ぶ場合に、環状ディスクの厚さｔが有効に作用して大径のリング状遊技具Ａの転倒を防止して遠方まで到達させることができる。
前記環状ディスク２の厚さｔが前記厚さの下限値より小さいと、リング状遊技具Ａが横に転倒し易くなり、相手側の使用者の位置まで到達させることができず、前記上限値より大きいと、折り曲げ難くなり、手指の不自由者には負担が掛かり過ぎることとなる。また、環状ディスク２の外径Ｄ１が前記下限値より小さいと、前記リング穴２ｂが小さくなり、リング穴２ｂに対応して形成される小径のリング状遊技具Ｂが所定の大きさのものを得ることができないと共に、子供や肢体の不自由な人であっても、運動能力上の負担が軽微となり過ぎて機能回復の励みにならず興趣が減退し、前記上限よりも大きいと子供や肢体の不自由な人には扱い難くなる。
【００２９】
なお、前記実施の形態に係るリング状遊技具１においては、大径のリング状遊技具Ａのの環状ディスク２の外周部に突出部３を８個と５個設けた例を示したが、前記突出部３の個数は前記個数に限らず、他の個数であってもよい。ただし、突出部３の個数があまり多いと、突出部３が連続したものに近い状態となって、回転しながら飛行する大径のリング状遊技具Ａの外周部の視覚的変化が少くなって興趣が減少し、また、少な過ぎると、大径のリング状遊技具Ａを転がしたとき、円滑に転がらずに直ぐに転倒してしまう。
また、前記環状ディスク２のリング穴２ｂの外側に設ける小穴４を円形の貫通穴として形成したが、該小穴は貫通穴とせずにディスク面２ａ，２ａのいずれか一方の面に有底の凹部として形成してもよく、環状ディスク２厚さｔが大きい場合には、ディスク面２ａ，２ａの両方に有底の凹部として形成してもよい。小穴の形状も円形に限らず、多角形状、楕円形状に形成してもよく、その場合、小穴４の直径ｄは、該小穴４を外接する円の直径をいうものとする。大径のリング状遊技具Ａの凹部からなる小穴４も貫通穴からなる小穴４とほぼ同様に扱って遊ぶことができる。
【００３０】
また、前記大、小径のリング状遊技具Ａ，Ｂを床面や地面で使用する場合について説明したが、環状ディスク２、リング状部５を水に浮かぶ素材もしくは独立気泡を存在させた材料で製作する場合には、床面や地面での使用に限らず、プールや海の中でも使用することができる。
さらに、前記実施の形態に係るリング状遊技具１においては、小径のリング状遊技具Ｂのリング状部５の外形を大径のリング状遊技具Ａのリング穴２ｂに一致する円形に形成したが、これに限らず、図１、図３（ｂ）に鎖線で示すように、リング状部５の外周に周方向に間隔をあけて複数の突起部５ａと凹部５ｂとを交互に設け、該突起部５ａの外周面が前記リング穴２ｂに接するようにしたり、また、前記リング状部５の連結部６をリング状部５の内側に扇形状穴６ｂを３個設けて３本の直線状の連結片６ａとして形成したが、これに代えて、リング状部５の中心Ｃの回りに複数の円形の穴６ｃ、または三角形、その他の形状の穴を設けて、中心Ｃから半径方向に向けて複数の適宜形状の連結片６ａを形成するようにしてもよい。
【図面の簡単な説明】
【００３１】
【図１】本発明の一実施の形態に係るリング状遊技具を示す平面図である。
【図２】同じく横断面図である。
【図３】同じく大径のリング状遊技具と小径のリング状遊技具とを分離して示した平面図である。
【図４】同じく大径のリング状遊技具の突出部の形状の一例を示す平面図である。
【図５】同じく大径のリング状遊技具の突出部の形状の他の例を示す平面図である。
【符号の説明】
【００３２】
１  リング状遊技具
２  環状ディスク
２ａ  ディスク面
２ｂ  リング穴
２ｃ，２ｃ１，２ｃ２  凹部
２ｄ  リング部
３  突出部
３ａ，３ａ１，３ａ２  外周面
３ｂ  側面
４  小穴
５  リング状部
６  連結部
６ａ  連結片
６ｂ  扇形状穴
Ａ  大径のリング状遊技具
Ｂ  小径のリング状遊技具
Ｃ  中心
Ｄ，ｄ  直径
Ｄ１  外径  
ｔ  厚さ
【図１】
2007007304.tif 000003
【図２】
2007007304.tif 000004
【図３】
2007007304.tif 000005
【図４】
2007007304.tif 000006
【図５】
2007007304.tif 000007